(57)【要約】【課題】  デジタル複写機および拡張コントローラのそれぞれに必要であったネットワークの再設定が自動的に行われることにより、サービスマンの設置手順の負担を軽減する。【解決手段】  情報処理装置はセットアップモード起動ステップで立ち上がったときに、通常起動時に設定されているネットワーク設定値を拡張処理装置に通知し、そのネットワーク設定値を受け取った拡張処理装置は、情報処理装置と接続されていないもう１つのネットワークインターフェースにそのネットワーク設定値を反映させ、拡張処理装置は情報処理装置からのネットワーク設定値を反映したネットワークインターフェースの機能を有効化する。【選択図】  図４
2006165862.tif 000002
【特許請求の範囲】
【請求項１】
１つのネットワークインターフェースを持つ情報処理装置と、２つのネットワークインターフェースを持つ拡張処理装置があり、拡張処理装置の片方のネットワークインターフェースは情報処理装置のネットワークインターフェースに接続される環境であって、
情報処理装置と拡張処理装置がお互いに通信できるように、あらかじめ決められたネットワーク設定値で立ち上がるセットアップモード起動ステップと、
そのセットアップモード起動ステップで起動した場合に、拡張処理装置は情報処理装置と接続されていない方のネットワークインターフェースの機能を無効化するステップと、
情報処理装置はセットアップモード起動ステップで立ち上がったときに、通常起動時に設定されているネットワーク設定値を拡張処理装置に通知するステップと、
そのネットワーク設定値を受け取った拡張処理装置は、情報処理装置と接続されていないもう１つのネットワークインターフェースにそのネットワーク設定値を反映させる設定ステップと、
拡張処理装置は情報処理装置からのネットワーク設定値を反映したネットワークインターフェースの機能を有効化するステップと、
を有することを特徴とするネットワーク設定方法。
【請求項２】
１つのネットワークインターフェースを持つ情報処理装置と、２つのネットワークインターフェースを持つ拡張処理装置があり、拡張処理装置の片方のネットワークインターフェースは情報処理装置のネットワークインターフェースに接続される環境であって、
情報処理装置と拡張処理装置がお互いに通信できるように、あらかじめ決められたネットワーク設定値で立ち上がるセットアップモード起動ステップと、
そのセットアップモード起動ステップで起動した場合に、拡張処理装置は情報処理装置と接続されていない方のネットワークインターフェースの機能を無効化するステップと、
情報処理装置はセットアップモード起動ステップで立ち上がったときに、通常起動時に設定されているネットワーク設定値を拡張処理装置に通知するステップと、
そのネットワーク設定値を受け取った拡張処理装置は、情報処理装置と接続されていないもう１つのネットワークインターフェースにそのネットワーク設定値を反映させる設定ステップと、
拡張処理装置は２つのネットワークインターフェースに設定されたネットワークアドレスを比較し、それが同じネットワークアドレスならば、情報処理装置と接続されているネットワークインターフェースの設定値を変更することを情報処理装置に通知する通知ステップと、
その通知を受け取った情報処理装置は、設定変更を了解したことをリプライする通知ステップと、
情報処理装置と拡張処理装置はもう一つのあらかじめ決められたネットワーク設定値で通信できるようにネットワークインターフェース設定を変更するステップと、
拡張処理装置は情報処理装置からのネットワーク設定値を反映したネットワークインターフェースの機能を有効化するステップと、
を有することを特徴とするネットワーク設定方法。
【発明の詳細な説明】
【技術分野】
【０００１】
この発明は、ネットワーク設定された情報処理装置にさらなる情報処理装置を拡張する際のネットワーク設定方法に関するものである。
【背景技術】
【０００２】
近年、デジタル複写機や印刷装置の機能拡張のため、１台のデジタル複写機または印刷装置に対して１台の拡張コントローラを接続するフロントエンドコントローラのシステムが普及し始めている。この拡張コントローラには、デジタル複写機にはない機能が盛り込まれており、デジタル複写機または印刷装置と組み合わせることによってさらなる機能が実現可能となる（例えば、特許文献１）。
【０００３】
この機能拡張のための設置作業におけるネットワークについていうと、すでにネットワーク機能を有するデジタル複写機に対して拡張コントローラを設置ために、拡張コントローラには２つのネットワーク装置が備えられており、片方はデジタル複写機に接続ために用いられ、もう片方はデジタル複写機がそれまで使用していたネットワーク環境に接続されるのが一般的となる。さらに拡張コントローラはＩＰマスカレード等の機能を用いて、デジタル複写機および拡張コントローラがひとつのネットワーク機器として扱えるように機能することが多い。
【特許文献１】特開平１１−３４８３９０号公報
【発明の開示】
【発明が解決しようとする課題】
【０００４】
しかしながら従来のシステムでは上記のような環境にするため、拡張コントローラをデジタル複写機に設置する際に、デジタル複写機のネットワーク設定は拡張コントローラと通信するための設定に、拡張コントローラのネットワーク設定は片方をデジタル複写機と通信するための設定に、もう片方は今までデジタル複写機が使用していたネットワーク設定に再設定するという複雑な設定作業が必要であり、サービスマンの負担となっていた。
【０００５】
また、デジタル複写機と拡張コントローラ間のネットワークアドレスが、今までデジタル複写機で使用していたネットワークアドレスと重複する場合は、このネットワーク設定も別のネットワークとして設定しなおす必要があり、サービスマンによる設置時のトラブルを招く要因となっていた。
【課題を解決するための手段】
【０００６】
上記した課題を解決するために、本発明のネットワーク設定方法は、１つのネットワークインターフェースを持つ情報処理装置と、２つのネットワークインターフェースを持つ拡張処理装置があり、拡張処理装置の片方のネットワークインターフェースは情報処理装置のネットワークインターフェースに接続される環境であって、情報処理装置と拡張処理装置がお互いに通信できるように、あらかじめ決められたネットワーク設定値で立ち上がるセットアップモード起動ステップと、そのセットアップモード起動ステップで起動した場合に、拡張処理装置は情報処理装置と接続されていない方のネットワークインターフェースの機能を無効化するステップと、情報処理装置はセットアップモード起動ステップで立ち上がったときに、通常起動時に設定されているネットワーク設定値を拡張処理装置に通知するステップと、そのネットワーク設定値を受け取った拡張処理装置は、情報処理装置と接続されていないもう１つのネットワークインターフェースにそのネットワーク設定値を反映させる設定ステップと、拡張処理装置は情報処理装置からのネットワーク設定値を反映したネットワークインターフェースの機能を有効化するステップと、を有することを特徴とする。
【０００７】
また、この発明は１つのネットワークインターフェースを持つ情報処理装置と、２つのネットワークインターフェースを持つ拡張処理装置があり、拡張処理装置の片方のネットワークインターフェースは情報処理装置のネットワークインターフェースに接続される環境であって、情報処理装置と拡張処理装置がお互いに通信できるように、あらかじめ決められたネットワーク設定値で立ち上がるセットアップモード起動ステップと、そのセットアップモード起動ステップで起動した場合に、拡張処理装置は情報処理装置と接続されていない方のネットワークインターフェースの機能を無効化するステップと、情報処理装置はセットアップモード起動ステップで立ち上がったときに、通常起動時に設定されているネットワーク設定値を拡張処理装置に通知するステップと、そのネットワーク設定値を受け取った拡張処理装置は、情報処理装置と接続されていないもう１つのネットワークインターフェースにそのネットワーク設定値を反映させる設定ステップと、拡張処理装置は２つのネットワークインターフェースに設定されたネットワークアドレスを比較し、それが同じネットワークアドレスならば、情報処理装置と接続されているネットワークインターフェースの設定値を変更することを情報処理装置に通知する通知ステップと、その通知を受け取った情報処理装置は、設定変更を了解したことをリプライする通知ステップと、情報処理装置と拡張処理装置はもう一つのあらかじめ決められたネットワーク設定値で通信できるようにネットワークインターフェース設定を変更するステップと、  拡張処理装置は情報処理装置からのネットワーク設定値を反映したネットワークインターフェースの機能を有効化するステップと、を有することを特徴とするネットワーク設定方法。
【発明の効果】
【０００８】
本発明によって、デジタル複写機および拡張コントローラのそれぞれに必要であったネットワークの再設定が自動的に行われることにより、サービスマンの設置手順の負担が軽減される。さらに、拡張コントローラにはいままでデジタル複写機に設定されていたネットワーク設定がそのまま反映されるため、ユーザに対する利便性も高い。
【０００９】
また、それまでデジタル複写機が使用していたネットワーク設定が、デジタル複写機と拡張コントローラ間のネットワークと重複する場合でも自動的に補正することが可能であり、サービスマンによる設置時のトラブルを防ぐことができる。
【発明を実施するための最良の形態】
【００１０】
以下、この発明の実施形態について図面を参照して説明する。
【００１１】
図１は、この発明のシステムの概略構成を示している。このシステムはネットワーク１上に、各ユーザが個別に利用できる複数のクライアントＰＣ２と、高速の画像印刷機能を有し、複数のユーザに共用されるデジタル複写機３が接続されている構成となっている。
【００１２】
これにより、クライアントＰＣ２から印刷情報がネットワーク１を介してデジタル複写機３に送信されることにより、その印刷情報がデジタル複写機３から印刷することができる。
【００１３】
次に、デジタル複写機３の機能拡張のため、拡張コントローラ４を新たに装備させたシステムを図２に示す。拡張コントローラ４はネットワーク１とは異なるネットワークであるローカルネットワーク５を介してデジタル複写機３と接続される。これにより、クライアントＰＣ２はデジタル複写機３の機能に加え、拡張コントローラ４の機能も利用することが可能となる。また、拡張コントローラ４の利用方法はネットワーク１を介したものであり、今までのデジタル複写機３の利用方法と同様である。
【００１４】
図３のシステムブロック図を用いて、拡張コントローラを備えたシステムについて説明していく。上記クライアントＰＣ２は、パーソナルコンピュータより構成され、図３に示すように、全体を制御する制御部１１が設けられている。この制御部１１には、入力部１２aとしてのキーボードやマウスと表示部１２bからなる操作部１２、印刷するデータが保存されるＨＤＤ１３、上記ネットワーク１と接続されるネットワークインターフェース１４が接続されている。
【００１５】
拡張コントローラ４はデジタル複写機３にさらなる機能追加を提供するものであり、図３に示すような、全体を制御する制御部２１が設けられている。この制御部２１には、上記ネットワーク１と接続されるネットワークインターフェース２２、印刷するデータが保存されるＨＤＤ２３、拡張コントローラ用の操作パネル２４、ローカルネットワーク５を介してデジタル複写機３と接続されるネットワークインターフェース２５が接続されている。
【００１６】
デジタル複写機３には、全体を制御する主制御部３１が設けられている。この主制御部３１は、それぞれ図示しないが、その動作の制御を司るＣＰＵ（Central Processing Unit）、このデジタル複写機３の動作のソフトウェアが格納されているＲＯＭ（Read Only Memory）、画像データやその他動作上のデータが一時格納されるＲＡＭ（Random Access Memory）により構成されている。上記主制御部３１には、自動原稿送り装置（ＡＤＦ）３２、スキャナ部３３、プリンタ部３４、デジタル複写機用の操作パネル３５、ＨＤＤ３６、ローカルネットワーク５を介して拡張コントローラ４と接続するためのネットワークインターフェース３７が接続されている。
【００１７】
ＡＤＦ３２は、装置本体の上面に設けられ、原稿トレイ（図示しない）にセットされた原稿を原稿載置台（図示しない）上に自動的に送る搬送手段としての自動原稿送り装置である。
【００１８】
スキャナ部３３は、原稿載置台上に載置された原稿に対する読み取り操作を行うことにより、原稿の読み取り画像データを得るものである。
【００１９】
プリンタ部３４は、原稿の読み取り画像データのプリントを行ったり、外部からの画像データのプリントを行うものである。
【００２０】
操作パネル３５はタッチパネル内蔵の液晶表示部（図示しない）とテンキー当のハードキー（図示しない）で構成される表示入力部として用いられ、タッチパネルやハードキーにより種々の操作や設定等の指示が入力されるとともに、液晶表示部に操作案内やエラー時のエラー内容の案内などが表示されるものでる。また、これらの表示項目は拡張コントローラが設置された場合は、拡張コントローラ用の操作パネル２４が主に用いられる。
【００２１】
ＨＤＤ３６は、各種データが格納されるハードディスクで代表される外部記憶装置である。たとえば、複数部数のコピーあるいは印刷を行う際に、複数枚の画像を圧縮した画像を保存し、印刷時にこの圧縮した画像を読み出して印刷するようになっている。
【００２２】
ネットワークインターフェース３７はローカルネットワーク５を介して拡張コントローラ４と接続され、ジョブや画像データのやり取りが行われるようになっている。
【００２３】
次に、図４のフローチャート用いて、本発明の特徴である拡張コントローラをデジタル複写機に設置する際のネットワーク設定方法について述べていく。
【００２４】
ステップＳ４０１では、図２に示すように、デジタル複写機３のネットワークインターフェース３７と拡張コントローラ４のネットワークインターフェース２５はローカルネットワーク５を介して接続する。
【００２５】
ステップＳ４０２では、デジタル複写機３と拡張コントローラ４をセットアップモードで立ち上げる。このセットアップモードとはデジタル複写機３と拡張コントローラ４の両者にあらかじめプログラムされているモードであり、デジタル複写機３のネットワークインターフェース３７と拡張コントローラ４のネットワークインターフェース２５が固定値αに設定され、両者の通信が可能となるモードである。例えば、固定値αは図５に示すような設定値である。また、拡張コントローラのネットワーク１側に接続されるネットワークインターフェース２２は無効化される。
【００２６】
ステップＳ４０３では、通信可能になったデジタル複写機３が、サービスモード時ではなく、通常時にネットワークインターフェース３７に設定されていたネットワーク設定値βを拡張コントローラ４に渡す。ネットワーク設定値βとは、例えば、ＩＰアドレス、サブネットマスク、デフォルトゲートウェイなどの設定値が含まれる。
【００２７】
ステップＳ４０４では、デジタル複写機３からネットワーク設定値βを受け取った拡張コントローラ４が、そのネットワーク設定値βをネットワーク１に接続されるネットワークインターフェース２２に設定する。このとき、ネットワークインターフェース２２の機能自体は無効化のままのため、ネットワーク環境には影響を与えない。
【００２８】
ステップＳ４０５では、拡張コントローラ４がネットワーク設定値のαとβが同じネットワークアドレスかどうかを調べる。もし異なるネットワークアドレスであるならば、ステップＳ４０９に進み、拡張コントローラ４はネットワークインターフェース２２の機能を有効化し、システムとしての機能を開始する。
【００２９】
一方、ステップＳ４０５で、拡張コントローラがネットワーク設定値のαとβを同じアドレス空間と判断した場合は、ステップＳ４０６に進む。
【００３０】
ステップＳ４０６では、拡張コントローラ４はデジタル複写機３と通信をするためのネットワーク設定値を固定値αからα２に変更することをデジタル複写機３に通知する。例えば、ネットワーク設定値の固定値α２とは図６に示すような設定値である。
【００３１】
ステップＳ４０７では、デジタル複写機３が拡張コントローラ４からネットワーク設定値の変更通知を受け取る。その後、通知を受け取ったデジタル複写機３は、了解通知を拡張コントローラ４に送信する。
【００３２】
ステップＳ４０８では、デジタル複写機３はネットワークインターフェース３７を、拡張コントローラ４はデジタル複写機と接続されるネットワークインターフェース２５を固定値α２に設定しなおす。
【００３３】
最後にＳ４０９において、固定値α２でデジタル複写機３と通信が可能になった拡張コントローラ４は、ネットワーク設定値βに設定されているネットワークインターフェース２２の機能を有効化し、システムとしての機能を開始する。
【００３４】
このように、従来の技術ではデジタル複写機３に拡張コントローラ４を設置するためには、それぞれのネットワークインターフェースの設定を再設定する必要があった。しかし本発明を用いることで、デジタル複写機３と拡張コントローラ４を接続し、それぞれをセットアップモードで起動させるだけで、このネットワークインターフェースの再設定を自動化することが可能となり、サービスマンの設置手順の負担を軽減させることが可能となる。さらに、拡張コントローラ４には今までデジタル複写機３に設定されていたネットワーク設定がそのまま反映されるため、デジタル複写機３を使用していたユーザに対する利便性も高い。
【００３５】
また、今までデジタル複写機が使用していたネットワークアドレスが、デジタル複写機と拡張コントローラ間のネットワークアドレスと重複する場合は、デジタル複写機と拡張コントローラ間のネットワークアドレスが自動的に変更され、サービスマンによる設置時のトラブルを防ぐことができる。
【図面の簡単な説明】
【００３６】
【図１】デジタル複写機を含むシステムの概略構成を示す図である。
【図２】デジタル複写機と拡張コントローラを含むシステムの概略構成を示す図である。
【図３】デジタル複写機と拡張コントローラを含むシステムの概略構成を示すブロック図である。
【図４】本発明のデジタル複写機の拡張コントローラを設置するネットワーク設定方法を説明するためのフローチャートである。
【図５】本発明のネットワーク設定例である固定値αを示す図である。
【図６】本発明のネットワーク設定例である固定値α２を示す図である。
【符号の説明】
【００３７】
１  ネットワーク
３  デジタル複写機
４  拡張コントローラ
２２、２５、３７  ネットワークインターフェース
【図１】
2006165862.tif 000003
【図２】
2006165862.tif 000004
【図３】
2006165862.tif 000005
【図４】
2006165862.tif 000006
【図５】
2006165862.tif 000007
【図６】
2006165862.tif 000008